(57)【特許請求の範囲】
【請求項１】
３本以上の複数の光ファイバ心線と、
複数の前記光ファイバ心線を保持するキャピラリと、
を具備し、
複数の前記光ファイバ心線は、前記キャピラリの内部において、前記キャピラリの軸方向を中心軸として互いに捻じられており、
複数の前記光ファイバ心線のコアが、正多角形の各頂点上に位置するように、複数の前記光ファイバ心線が、前記キャピラリに固定されていて、
前記キャピラリの端面において、隣り合う前記光ファイバ心線は、互いに接触していることを特徴とする光ファイババンドル構造。
【請求項２】
３本以上の複数の光ファイバ心線と、
複数の前記光ファイバ心線を保持するキャピラリと、
を具備し、
複数の前記光ファイバ心線は、前記キャピラリの内部において、前記キャピラリの軸方向を中心軸として互いに捻じられており、
複数の前記光ファイバ心線のコアが、正多角形の各頂点上に位置するように、複数の前記光ファイバ心線が、前記キャピラリに固定されていて、
前記キャピラリの端面において、それぞれの前記光ファイバ心線は互いに離間していることを特徴とする光ファイババンドル構造。
【請求項３】
３本以上の複数の光ファイバ心線と、
複数の前記光ファイバ心線を保持するキャピラリと、
を具備し、
複数の前記光ファイバ心線は、前記キャピラリの内部において、前記キャピラリの軸方向を中心軸として互いに捻じられており、
複数の前記光ファイバ心線のコアが、正多角形の各頂点上に位置するように、複数の前記光ファイバ心線が、前記キャピラリに固定されていて、
前記光ファイバ心線の本数が４本または５本であることを特徴とする光ファイババンドル構造。
【請求項４】
前記キャピラリの内部での前記光ファイバ心線の捻じりピッチが、９０°〜３６０°／１０ｍｍであることを特徴とする請求項１から請求項３のいずれかに記載の光ファイババンドル構造。
【請求項５】
前記キャピラリの内径は、
複数の前記光ファイバ心線のコアが、正多角形の各頂点上に位置するように、隣り合う前記光ファイバ心線同士を互いに接触させて配置した際の外接円の径よりも０．５μｍ以上大きいことを特徴とする請求項１から請求項４のいずれかに記載の光ファイババンドル構造。
【請求項６】
３本以上の複数の光ファイバ心線と、
複数の前記光ファイバ心線を保持するキャピラリと、
を具備し、
複数の前記光ファイバ心線は、前記キャピラリの内部において、前記キャピラリの軸方向を中心軸として互いに捻じられており、
複数の前記光ファイバ心線のコアが、正多角形の各頂点上に位置するように、複数の前記光ファイバ心線が、前記キャピラリに固定されている光ファイババンドル構造が収容されることを特徴とする光コネクタ。
【請求項７】
３本以上の複数の光ファイバ心線と、
複数の前記光ファイバ心線を保持するキャピラリと、
を具備し、
複数の前記光ファイバ心線は、前記キャピラリの内部において、前記キャピラリの軸方向を中心軸として互いに捻じられており、
複数の前記光ファイバ心線のコアが、正多角形の各頂点上に位置するように、複数の前記光ファイバ心線が、前記キャピラリに固定されている光ファイババンドル構造とマルチコアファイバとの接続構造であって、
前記マルチコアファイバは、
複数のコアと、前記コアを取り囲むクラッドと、を具備し、
前記マルチコアファイバのそれぞれの前記コアと、前記光ファイババンドル構造のそれぞれの前記光ファイバ心線のコアとが光接続されることを特徴とする光ファイバ接続構造。
【請求項８】
請求項１から請求項５のいずれかに記載の光ファイババンドル構造と受発光素子との接続構造であって、
前記受発光素子は、
複数の受発光部を有し、
前記受発光素子の前記受発光部と、前記光ファイババンドル構造のそれぞれの前記光ファイバ心線のコアとが光接続されることを特徴とする光ファイバ接続構造。
【請求項９】
３本以上の複数の光ファイバ心線をキャピラリに挿入する工程と、
前記キャピラリと、複数の前記光ファイバ心線を、前記キャピラリの軸方向を中心軸として、相対的に捻じる工程と、
前記キャピラリの先端部において、隣り合う前記光ファイバ心線同士が接触し、かつ、前記光ファイバ心線のコアが、正多角形の各頂点上に位置するように配置された状態で、複数の前記光ファイバ心線を前記キャピラリに接着する工程と、
を具備することを特徴とする光ファイババンドル構造の製造方法。
【請求項１０】
３本以上の複数の光ファイバ心線をキャピラリに挿入する工程と、
前記キャピラリと、複数の前記光ファイバ心線を、前記キャピラリの軸方向を中心軸として、相対的に捻じる工程と、
前記光ファイバ心線の先端部の一括把持を開放する工程と、
前記キャピラリの先端部において、隣り合う前記光ファイバ心線同士は互いに離間しており、かつ、前記光ファイバ心線のコアが、正多角形の各頂点上に位置するように配置された状態で、複数の前記光ファイバ心線を前記キャピラリに接着する工程と、
を具備することを特徴とする光ファイババンドル構造の製造方法。
【発明の詳細な説明】
【技術分野】
【０００１】
本発明は、所定の間隔でコアが配列されたマルチコアファイバ等と接続可能な、光ファイババンドル構造等に関するものである。
【背景技術】
【０００２】
近年の光通信におけるトラフィックの急増により、伝送容量の増大が求められている。そこで、さらに通信容量を拡大する手段として、シングルコアの光ファイバに代えて一本の光ファイバに複数のコアが形成されたマルチコアファイバが提案されている。
【０００３】
マルチコアファイバを伝送路として用いた場合、このマルチコアファイバの各コアは、他のマルチコアファイバの対応するコアや、それぞれ別のシングルコアファイバや受発光素子等と接続されて伝送信号を送受する必要がある。マルチコアファイバとシングルコアファイバとを接続する方法として、マルチコアファイバと、そのマルチコアファイバのコアに対応する位置にシングルコアの光ファイバが配列されたバンドルファイバとを接続し、伝送信号を送受信する方法が提案されている（特許文献１）。
【先行技術文献】
【特許文献】
【０００４】
【特許文献１】特開昭６２−４７６０４号公報
【発明の概要】
【発明が解決しようとする課題】
【０００５】
マルチコアファイバとして、コアのピッチが一定であり、各コアが正多角形の各頂点上に配置されたものが検討されている。例えば、４つのコアの中心を繋ぐと略正方形となるようなコア配置（正方配置）のマルチコアファイバが検討されている。したがって、このような正多角形の各頂点上にコアが配置されたマルチコアファイバに接続可能な光ファイババンドル構造が要求されている。
【０００６】
しかし、コアが正多角形の各頂点上に配置される光ファイババンドル構造を得ようとすると、光ファイバ心線の配置がずれてしまう恐れがある。例えば、４本の光ファイバ心線が、正方配置とはならず、略ひし形のような配置となるおそれがある。すなわち、正多角形の各頂点上にコアが位置するように光ファイバ心線を配置することは困難である。
【０００７】
これに対し、光ファイババンドル構造に用いられるキャピラリの孔の内径を小さくし、光ファイバ心線に対するクリアランスを小さくする方法がある。しかし、孔の内径を小さくすると、光ファイバ心線を孔に挿入するのが困難となる。また、必要な孔の寸法精度を実現することも困難である。
【０００８】
本発明は、このような問題に鑑みてなされたもので、正多角形の各頂点上にコアが配置した光ファイババンドル構造等を提供することを目的とする。
【課題を解決するための手段】
【０００９】
前述した目的を達成するため、第１の発明は、３本以上の複数の光ファイバ心線と、複数の前記光ファイバ心線を保持するキャピラリと、を具備し、複数の前記光ファイバ心線は、前記キャピラリの内部において、前記キャピラリの軸方向を中心軸として互いに捻じられており、複数の前記光ファイバ心線のコアが、正多角形の各頂点上に位置するように、複数の前記光ファイバ心線が、前記キャピラリに固定されていて、前記キャピラリの端面において、隣り合う前記光ファイバ心線は、互いに接触していることを特徴とする光ファイババンドル構造である。
【００１１】
第２の発明は、３本以上の複数の光ファイバ心線と、複数の前記光ファイバ心線を保持するキャピラリと、を具備し、複数の前記光ファイバ心線は、前記キャピラリの内部において、前記キャピラリの軸方向を中心軸として互いに捻じられており、複数の前記光ファイバ心線のコアが、正多角形の各頂点上に位置するように、複数の前記光ファイバ心線が、前記キャピラリに固定されていて、前記キャピラリの端面において、それぞれの前記光ファイバ心線は互いに離間していることを特徴とする光ファイババンドル構造である。
【００１２】
第３の発明は、３本以上の複数の光ファイバ心線と、複数の前記光ファイバ心線を保持するキャピラリと、を具備し、複数の前記光ファイバ心線は、前記キャピラリの内部において、前記キャピラリの軸方向を中心軸として互いに捻じられており、複数の前記光ファイバ心線のコアが、正多角形の各頂点上に位置するように、複数の前記光ファイバ心線が、前記キャピラリに固定されていて、前記光ファイバ心線の本数が４本または５本であることを特徴とする光ファイババンドル構造である。
【００１３】
前記キャピラリの内部での前記光ファイバ心線の捻じりピッチが、９０°〜３６０°／１０ｍｍであることが望ましい。
【００１４】
前記キャピラリの内径は、複数の前記光ファイバ心線のコアが、正多角形の各頂点上に位置するように、隣り合う前記光ファイバ心線同士を互いに接触させて配置した際の外接円の径よりも０．５μｍ以上大きいことが望ましい。
【００１５】
第１から第３のいずれかの発明によれば、光ファイバ心線同士が互いに捻じられているため、光ファイバ心線の長手方向に垂直な断面において、光ファイバ心線束の外接円ができるだけ小さくなるように光ファイバ心線が配置される。すなわち、複数の光ファイバ心線のコアが、正多角形の各頂点上に位置するような光ファイバ心線の配置が安定配置となる。このため、容易に、光ファイバ心線をこの配置とすることができる。
【００１６】
また、光ファイバ心線を互いに捻じった状態を維持すれば、隣り合う光ファイバ心線同士を接触させることができる。このため、隣り合う光ファイバ心線同士が接触した光ファイババンドル構造を容易に得ることができる。
【００１７】
また、光ファイバ心線を互いに捻じった状態から、光ファイバ心線の先端部の捻じり力を解放すると、光ファイバ心線は、捻じりに対する復元力によって、外側に広がるように移動する。この復元力は、各光ファイバ心線に対して略一定であるため、各光ファイバ心線を同じように外側に移動させることができる。このため、複数の光ファイバ心線のコアを、正多角形の各頂点上に位置させた状態の光ファイババンドル構造を容易に得ることができる。なお、このとき各光ファイバ心線はキャピラリに接触していてもよい。
【００１８】
また、光ファイバ心線が４本または５本の場合のように、光ファイバ心線が最密配置とはならない場合に特に有効である。
【００１９】
また、光ファイバ心線の捻じり量が９０°〜３６０°／１０ｍｍであれば、前述した効果を確実に得ることができる。
【００２０】
また、キャピラリの内径が、隣り合う光ファイバ同士を互いに接触させて配列した際の外接円の径よりも０．５μｍ以上大きくすることで、光ファイバ心線をキャピラリに挿入する作業が容易である。
【００２１】
第４の発明は、３本以上の複数の光ファイバ心線と、複数の前記光ファイバ心線を保持するキャピラリと、を具備し、複数の前記光ファイバ心線は、前記キャピラリの内部において、前記キャピラリの軸方向を中心軸として互いに捻じられており、複数の前記光ファイバ心線のコアが、正多角形の各頂点上に位置するように、複数の前記光ファイバ心線が、前記キャピラリに固定されている光ファイババンドル構造が収容されることを特徴とする光コネクタである。
【００２２】
第４の発明によれば、マルチコアファイバ等と接続可能な光コネクタを得ることができる。
【００２３】
第５の発明は、３本以上の複数の光ファイバ心線と、複数の前記光ファイバ心線を保持するキャピラリと、を具備し、複数の前記光ファイバ心線は、前記キャピラリの内部において、前記キャピラリの軸方向を中心軸として互いに捻じられており、複数の前記光ファイバ心線のコアが、正多角形の各頂点上に位置するように、複数の前記光ファイバ心線が、前記キャピラリに固定されている光ファイババンドル構造とマルチコアファイバとの接続構造であって、前記マルチコアファイバは、複数のコアと、前記コアを取り囲むクラッドと、を具備し、前記マルチコアファイバのそれぞれの前記コアと、前記光ファイババンドル構造のそれぞれの前記光ファイバ心線のコアとが光接続されることを特徴とする光ファイバ接続構造である。
【００２４】
また、第１から第３のいずれかの発明にかかる光ファイババンドル構造と受発光素子との接続構造であって、前記受発光素子は、複数の受発光部を有し、前記受発光素子の前記受発光部と、前記光ファイババンドル構造のそれぞれの前記光ファイバ心線のコアとが光接続されることを特徴とする光ファイバ接続構造としてもよい。
【００２５】
第５の発明によれば、マルチコアファイバまたは受発光素子を効率よくファンアウトすることができる。
【００２６】
第６の発明は、３本以上の複数の光ファイバ心線をキャピラリに挿入する工程と、前記キャピラリと、複数の前記光ファイバ心線を、前記キャピラリの軸方向を中心軸として、相対的に捻じる工程と、前記キャピラリの先端部において、隣り合う前記光ファイバ心線同士が接触し、かつ、前記光ファイバ心線のコアが、正多角形の各頂点上に位置するように配置された状態で、複数の前記光ファイバ心線を前記キャピラリに接着する工程と、を具備することを特徴とする光ファイババンドル構造の製造方法である。
【００２７】
また、３本以上の複数の光ファイバ心線をキャピラリに挿入する工程と、前記キャピラリと、複数の前記光ファイバ心線を、前記キャピラリの軸方向を中心軸として、相対的に捻じる工程と、前記光ファイバ心線の先端部の一括把持を開放する工程と、前記キャピラリの先端部において、隣り合う前記光ファイバ心線同士は互いに離間しており、かつ、前記光ファイバ心線のコアが、正多角形の各頂点上に位置するように配置された状態で、複数の前記光ファイバ心線を前記キャピラリに接着する工程と、を具備することを特徴とする光ファイババンドル構造の製造方法としてもよい。
【００２８】
第６の発明によれば、複数の光ファイバ心線のコアが、正多角形の各頂点上に位置するような光ファイバ心線の配置の光ファイババンドル構造を容易に得ることができる。
【発明の効果】
【００２９】
本発明によれば、正多角形の各頂点上にコアが配置した光ファイババンドル構造等を提供することができる。
【図面の簡単な説明】
【００３０】
【図１】（ａ）は光ファイババンドル構造１を示す側面図、（ｂ）は光ファイババンドル構造１の正面図であって、（ａ）のＡ矢視図。
【図２】（ａ）、（ｂ）は、光ファイババンドル構造１を製造する工程を示す図。
【図３】（ａ）、（ｂ）は、光ファイババンドル構造１を製造する工程を示す図。
【図４】（ａ）、（ｂ）は、光ファイババンドル構造１を製造する際の光ファイバ心線の移動状態を示す概念図。
【図５】（ａ）は光ファイババンドル構造１ａを示す側面図、（ｂ）は光ファイババンドル構造１ａの正面図であって、（ａ）のＨ矢視図。
【図６】（ａ）、（ｂ）は、光ファイババンドル構造１ａを製造する工程を示す図。
【図７】（ａ）、（ｂ）は、光ファイババンドル構造１ａを製造する際の光ファイバ心線の移動状態を示す概念図。
【図８】光コネクタ１０を示す断面図。
【図９】（ａ）は光ファイバ接続構造２０を示す図、（ｂ）は（ａ）のＫ−Ｋ線断面図。
【図１０】（ａ）は光ファイバ接続構造２０ａを示す図、（ｂ）は（ａ）のＬ−Ｌ線断面図。
【発明を実施するための形態】
【００３１】
（光ファイババンドル構造１）
以下、光ファイババンドル構造１について説明する。図１（ａ）は光ファイババンドル構造１の側面図、図１（ｂ）は、図１のＡ矢視図であって、光ファイババンドル構造１の正面図である。
【００３２】
光ファイババンドル構造１は、同一径の複数の光ファイバ心線５と、光ファイバ心線５を保持するキャピラリ３等からなる。光ファイバ心線５は、コア７と、コア７を取り囲むクラッド９からなる。なお、以下の説明では、光ファイバ心線５が４本である場合について示すが、それ以外であってもよい。
１本の光ファイバの外径は、たとえば３０μｍ〜８０μｍであり、コア径は６μｍ〜１２μｍである。
【００３３】
複数の光ファイバ心線５は、キャピラリ３の内部において、キャピラリ３の軸方向を中心軸として互いに一方向に捻じられている。光ファイバ心線５は、キャピラリ３に挿通され、捻じられた状態で、接着剤１１によってキャピラリ３に固定される。
【００３４】
図１（ｂ）に示すように、光ファイババンドル構造１の先端部（キャピラリ３の端面）においては、複数の光ファイバ心線５（コア７）が、正多角形（図は正方形）の各頂点上に位置するように、キャピラリ３に固定されている。また、キャピラリ３の端面において、隣り合う光ファイバ心線５は、互いに接触する。
【００３５】
詳細は後述するが、光ファイバ心線５を捻じることで、複数の光ファイバ心線５のコア７が、正多角形の各頂点上に位置するように、光ファイバ心線５を配置することができる。すなわち、複数の光ファイバ心線５は、光ファイバ心線５の捻じり中心からの距離が等しくなるように互いに接触して配置される。なお、光ファイバ心線５の捻じり中心とは、複数の光ファイバ心線５のコア位置を頂点とする正多角形の中心位置である。
【００３６】
ここで、複数の光ファイバ心線５のコア７を、正多角形の各頂点上に位置させ、互いに接触させて配置した場合に、全ての光ファイバ心線５を包含する外接円（図１（ｂ）において点線で示す円Ｄ）の径が最小となる。
【００３７】
ここで、キャピラリ３の内径（図１（ｂ）中Ｃ）は、この外接円Ｄの径（図１（ｂ）中Ｂ）よりも０．５μｍ以上大きいことが望ましい。このようにすることで、キャピラリ３へ、複数の光ファイバ心線５を挿入する作業が容易となる。ただし、外接円Ｄの径Ｂとキャピラリ３の内径Ｃとの差が大きすぎると後述する図９に示す光ファイババンドル構造とマルチコアファイバとの接続構造を形成する際等に接続相手のキャピラリと、キャピラリ３との間の端面ずれが大きくなるという問題があることから、外接円Ｄの径Ｂとキャピラリ３の内径Ｃとの差は３０μｍ以下であることが好ましい。キャピラリ間の端面ずれが大きくなると、接着剤が端面に均等に付かなくなる場合があり、硬化時や温度変化時に歪みが生じる場合がある。
【００３８】
また、後述する図８に示すように、本光ファイババンドル端面をコネクタ端面として用いる場合は、外接円Ｄの径Ｂとキャピラリ３の内径Ｃとの差は、光学軸ずれの許容量に応じて適宜定める必要がある。たとえば、複数の光ファイバ心線５として一般的なシングルモードファイバを用いた場合は、外接円Ｄの径Ｂとキャピラリ３の内径Ｃとの差は２μｍ以下であることが好ましく、１μｍ以下とすることで、より光学軸ずれを小さくすることが可能である。
【００３９】
なお、キャピラリ３の内部での光ファイバ心線５の捻じりピッチは、９０°〜３６０°／１０ｍｍである（キャピラリ３の長さ１０ｍｍ当たり、光ファイバ心線５が９０°〜３６０°捻じられている）ことが望ましい。９０°／１０ｍｍ以上とすることで、光ファイバ心線５を確実に正方配置させることができる。なお、３６０°／１０ｍｍを超えると、光ファイバ心線５への歪が大きくなり、また、製造性が悪くなるため望ましくない。
【００４０】
（光ファイババンドル構造１の製造方法）
次に、光ファイババンドル構造１の製造方法について説明する。まず、図２（ａ）に示す様に、３本以上の複数の光ファイバ心線５を束ねて、キャピラリ３へ挿入する（図中矢印Ｅ）。キャピラリ３の内部には、予め接着剤１１（図示省略）が充填される。なお、キャピラリ３の内部に接着剤１１を充填するのではなく、光ファイバ心線５の先端近傍に接着剤１１を塗布しておいてもよい。
【００４１】
図２（ｂ）は、光ファイバ心線５をキャピラリ３に挿入した状態を示す図である。図２（ｂ）に示すように、光ファイバ心線５の先端は、キャピラリ３の先端から突出させておく。なお、キャピラリ３の内部または光ファイバ心線５の先端部近傍に接着剤１１をあらかじめ塗布しておくのではなく、光ファイバ心線５を挿入した後に、接着剤１１をキャピラリ３内部に充填してもよい。
【００４２】
次に、図３（ａ）に示すように、複数の光ファイバ心線５の先端部を、把持部１２で一括把持し、キャピラリ３と、複数の光ファイバ心線５とを、キャピラリ３の軸方向を中心軸として、相対的に捻じる（図中矢印Ｆ）。これにより、光ファイバ心線５は、捻じられた状態が維持される。この状態でキャピラリ３の内部の接着剤１１を硬化させる。
なお、前述した様に、光ファイバ心線５の捻じり量としては、キャピラリ３の長さ１０ｍｍ当たり、９０°〜３６０°とすることが望ましい。
【００４３】
なお、予め光ファイバ心線５の先端部のみを接着または融着させて一体化させておいてもよい。このようにすることで、光ファイバ心線５を容易に捻じることができる。また、光ファイバ心線５の先端部は、光ファイバ心線５のコア７が、正多角形の各頂点上に位置するように、光ファイバ心線５を配置した状態で把持または一体化されていることが好ましい。このようにすることで、捻じられた光ファイバ心線の配置も容易に光ファイバ心線５のコア７が、正多角形の各頂点上に位置するように配置される。
【００４４】
図４（ａ）、図４（ｂ）は、光ファイバ心線５を捻じる際の、光ファイバ心線５の移動を示す概念断面図である。図４（ａ）に示すように、光ファイバ心線５を捻じる前には、光ファイバ心線５は、キャピラリ３の内部で、ある程度の自由度を持って配置される。すなわち、光ファイバ心線５は、所定の間隔で配置されない。
【００４５】
この状態から、光ファイバ心線５を互いに捻じると、それぞれの光ファイバ心線５には、中心方向に向かう力（図中矢印Ｇ）が付与される。それぞれの光ファイバ心線５に付与される力はほぼ同等であるため、それぞれの光ファイバ心線５は、最も捻じり中心に近くなる位置で安定する。
【００４６】
すなわち、図４（ｂ）に示すように、それぞれの光ファイバ心線５が、光ファイバ心線５の捻じり中心からの距離がほぼ同じ位置であって、隣り合う光ファイバ心線５同士が互いに接触するように配置される状態が安定した配置となる。すなわち、光ファイバ心線５のコア７が、正多角形の各頂点上に位置するように、複数の光ファイバ心線５が配置される。このように、容易に、光ファイバ心線５を正方配置とすることができる。
また、このとき長手方向に垂直な断面におけるコア間距離（光ファイバ心線５のコア中心間距離）が接続相手のマルチコアファイバや受発光素子等のコアピッチ（コア中心間距離）と等しくなるように光ファイバ心線５の外径が設定される。
【００４７】
光ファイバ心線５の先端を一括把持し、光ファイバ心線５が互いに捻じられた状態で接着剤１１を硬化させることで、光ファイバ心線５が捻じられた状態のまま、キャピラリ３に接着されて固定される。すなわち、キャピラリ３の先端部において、隣り合う光ファイバ心線５同士が接触し、かつ、光ファイバ心線５のコア７が、正多角形の各頂点上に位置するように配置された状態で、複数の光ファイバ心線５がキャピラリ３に接着される。この後、図３（ｂ）に示すように、キャピラリ３から突出する光ファイバ心線５を除去し、光ファイバ心線５およびキャピラリ３の端面の一部を研磨することで、光ファイババンドル構造１を得ることができる。
【００４８】
以上説明したように、本実施の形態によれば、光ファイバ心線５のコア７が、正多角形の各頂点上に位置するように、複数の光ファイバ心線５を容易に配置することができる。このため、コア７が、正多角形の各頂点上に位置するように配置した光ファイババンドル構造を容易に得ることができる。
【００４９】
また、キャピラリ３の内径を、複数の光ファイバ心線５の外接円に対して余裕を持たせることができるため、光ファイバ心線５を容易に、キャピラリ３に挿入することができる。
【００５０】
なお、光ファイバ心線５が４本の場合について説明したが、前述した様に、本発明は、３本以上の複数本の光ファイバ心線５のバンドル構造であれば、他の本数でも適用可能である。例えば、５本の場合には、光ファイバ心線５のコア位置が正五角形の頂点位置となるように配置することができる。
本発明は、六方最密配置とはならないような、例えば４本、５本の光ファイバ心線５に対しても、容易に光ファイバ心線５を配置することができる。この際、例えば、配置が崩れないように、中心にダミーファイバなどを配置する必要がないため、構造が簡易で製造性にも優れる。
【００５１】
なお、光ファイバ心線が６本以上の場合には、正多角形の中心にも光ファイバ心線５を配置する場合がある。この場合には、中心に配置された光ファイバ心線は捻じらず、周囲に配置された光ファイバ心線５のみを捻じることで、同様に容易にバンドル構造を得ることができる。
また、中心に配置された光ファイバ心線が３本以上の複数である場合は、中心に配置された光ファイバ心線を捻じることで、中心に配置された光ファイバ心線のコア７が、正多角形の各頂点上に位置するように配置した光ファイババンドル構造を容易に得ることができる。
【００５２】
（光ファイババンドル構造１ａ）
次に、第２の実施形態について説明する。図５（ａ）は光ファイババンドル構造１ａの側面図、図５（ｂ）は、図５のＨ矢視図であって、光ファイババンドル構造１ａの正面図である。なお、以下の説明において、第１の実施形態と同様の構成については、図１等と同一の符号を付し、重複する説明を省略する。
【００５３】
光ファイババンドル構造１ａは、光ファイババンドル構造１とほぼ同様の構成であるが、キャピラリ３内における光ファイバ心線５の配置が異なる。
【００５４】
光ファイババンドル構造１ａでは、キャピラリ３の端面において、それぞれの光ファイバ心線５は互いに離間する。なお本実施形態においては、光ファイバ心線５がキャピラリ３の内面に接触する。
【００５５】
なお、複数の光ファイバ心線５は、キャピラリ３の内部において、キャピラリ３の軸方向を中心軸として互いに捻じられている。また、光ファイバ心線５のコア７が、正多角形の各頂点上に位置するように、複数の光ファイバ心線５が配置される。
【００５６】
本実施形態のように、光ファイバ心線５がキャピラリ３の内面に接触する場合は、長手方向に垂直な断面におけるコア間距離（光ファイバ心線５のコア中心間距離）が接続相手のマルチコアファイバや受発光素子等のコアピッチ（コア中心間距離）と等しくなるようにキャピラリ３の内径が設定される。
【００５７】
（光ファイババンドル構造１ａの製造方法）
次に、光ファイババンドル構造１ａの製造方法について説明する。まず、図６（ａ）に示すように、第１の実施形態と同様の手順により、３本以上の複数の光ファイバ心線５を束ねてキャピラリ３に挿入し、キャピラリ３と複数の光ファイバ心線５とをキャピラリ３の軸方向を中心軸として相対的に捻じる（図中矢印Ｉ）。
【００５８】
本実施形態では、光ファイバ心線５が互いに捻じられた状態において、キャピラリの先端部側において光ファイバ心線５の先端部が互いに離間した状態であり、光ファイバ心線がキャピラリの内面に接触している状態で複数の光ファイバ心線５を一括把持する。
【００５９】
または、第１の実施形態と同様に、まず複数の光ファイバ心線５の先端部を一括把持した状態で複数の光ファイバ心線５をキャピラリ３の軸方向を中心軸として相対的に捻じる。次いで、キャピラリ内の接着剤が完全に硬化する前に光ファイバ心線の先端部の把持を開放し、キャピラリの先端部側において、光ファイバ心線５の先端部が互いに離間した状態であり、光ファイバ心線がキャピラリの内面に接触している状態でキャピラリ内の接着剤を硬化させる。
【００６０】
図７（ａ）、図７（ｂ）は、光ファイバ心線５の把持が解放された際の、光ファイバ心線５の移動を示す概念断面図である。図７（ａ）に示すように、光ファイバ心線５を互いに捻じると、それぞれの光ファイバ心線５には、中心方向に向かう力が付与される。それぞれの光ファイバ心線５に付与される力はほぼ同等であるため、それぞれの光ファイバ心線５は、最も捻じり中心に近くなる位置で安定する。
【００６１】
この状態から、光ファイバ心線５の先端部の把持をなくし、捻じりを自然に解放すると、それぞれの光ファイバ心線５が、捻じりに対して復元しようとする（図中矢印Ｊ）。この際、光ファイバ心線５の周囲には、接着剤１１が充填されているため、光ファイバ心線５は、接着剤１１の粘性によってゆっくりと外側に広がるように移動する。また、光ファイバ心線５は、それぞれキャピラリ３の内面と接触して移動が止まる。
【００６２】
この際、それぞれの光ファイバ心線５に付与される力（外側に広がろうとする力）は略同一であるため、それぞれの光ファイバ心線５のコア７が、正多角形の各頂点上に位置するように、複数の光ファイバ心線５が配置される。この際、隣り合う光ファイバ心線５同士は互いに離間しており接触しない（図７（ｂ）参照）。
【００６３】
このように、複数の光ファイバ心線５の先端を開放した状態で接着剤１１を硬化させることで、光ファイバ心線５が捻じれた状態からわずかに復元した状態で、光ファイバ心線５がキャピラリ３に接着されて固定される。すなわち、キャピラリ３の先端部において、隣り合う光ファイバ心線５同士が互いに離間しており、かつ、光ファイバ心線５のコア７が、正多角形の各頂点上に位置するように配置された状態で、複数の光ファイバ心線５がキャピラリ３に接着される。この後、図６（ｂ）に示すように、キャピラリ３から突出する光ファイバ心線５を除去し、光ファイバ心線５およびキャピラリ３の端面の一部を研磨することで、光ファイババンドル構造１ａを得ることができる。
【００６４】
以上説明したように、第２の実施の形態によれば、第１の実施の形態と同様の効果を得ることができる。すなわち、例えば、正方配置した光ファイババンドル構造を容易に得ることができる。
【００６５】
また、本実施形態では、光ファイバ心線５同士を接触させずに、光ファイバ心線５のコア７が、正多角形の各頂点上に位置するように、複数の光ファイバ心線５が配置することができる。
【００６６】
なお、図示した例では、光ファイバ心線５が捻じれた状態からわずかに復元した際、光ファイバ心線５がキャピラリ３の内面に接触した例を示したが本実施形態はこれに限られない。例えば、光ファイバ心線５がキャピラリ３の内面と接触していなくても、各光ファイバ心線５が互いに離間した状態で、それぞれのコア７が、正多角形の各頂点上に位置するように配置されればよい。
【００６７】
また、前述の実施形態において、光ファイバ心線５の先端を把持せずに捻った場合でも、接着剤の粘性により光ファイバ心線５の捻り状態が実現される。この捻り状態が捻りの無い状態に戻る前に接着剤を硬化させることで、所望の捻り状態を得ることが可能となる。
【００６８】
また、光ファイバ心線５を捻じった状態を保持するのではなく、光ファイバ心線５を所定時間捻じり続けてもよい。例えば、接着剤が硬化し、光ファイバ心線５が完全に接着される前の所定の間は、キャピラリ３を回転させ続けてもよい。このようにすることで、光ファイバ心線５の捻じりが戻りすぎることを抑制することができる。
【００６９】
（光コネクタ１０）
次に、光ファイババンドル構造１（１ａ）を用いた光コネクタ１０について説明する。図８は光コネクタ１０の断面図である。光コネクタ１０は、内部に光ファイババンドル構造１または光ファイババンドル構造１ａが収容される。
【００７０】
なお、光ファイババンドル構造１（１ａ）におけるキャピラリ３は、フェルール１３として機能する。すなわち、フェルール１３の内部には、複数の光ファイバ心線５が捻じられた状態で挿通される。また、フェルール１３の端面においては、それぞれの光ファイバ心線５のコア７が、正多角形の各頂点上に位置するように、光ファイバ心線５が配置される。
【００７１】
このような光コネクタ１０を用いることで、他のコネクタに内蔵されたマルチコアファイバ等と接続することができる。
【００７２】
（光ファイバ接続構造２０）
次に、光ファイバ接続構造について説明する。図９（ａ）は、光ファイバ接続構造２０を示す図であり、図９（ｂ）は、図９（ａ）のＫ−Ｋ線断面図である。光ファイバ接続構造２０は、光ファイババンドル構造１または光ファイババンドル構造１ａとマルチコアファイバ１５との接続構造である。
【００７３】
マルチコアファイバ１５は、キャピラリ１７に挿入されて樹脂等で固定される。マルチコアファイバ１５は、複数のコア１９が所定の間隔で配置され、コア１９を取り囲むようにクラッド２１が設けられる。図に示した例では、４つのコア１９は、正方配置で配置される。
【００７４】
なお、光ファイバ心線５の本数は、マルチコアファイバ１５のコア１９の数と同一である。また、光ファイバ心線５のコア７のピッチ（隣り合う光ファイバ心線５同士のコアピッチ）は、マルチコアファイバ１５のコア１９のピッチとほぼ一致する。
【００７５】
光ファイババンドル構造１（１ａ）と、マルチコアファイバ１５とは、接着または融着により接続される。また、光ファイバ心線５のコア７とマルチコアファイバ１５のコア１９とが光接続される。
【００７６】
光ファイバ接続構造２０によれば、マルチコアファイバ１５の各コア１９と光ファイバ心線５の各コア７とを光接続することができる。この際、光ファイババンドル構造１（１ａ）は、光ファイバ心線５が所定の間隔で配置されているため、互いのコア７の間隔を精度よく一定に保つことができる。
【００７７】
（光ファイバ接続構造２０ａ）
次に、他の光ファイバ接続構造について説明する。図１０（ａ）は、光ファイバ接続構造２０ａを示す図であり、図１０（ｂ）は、図１０（ａ）のＬ−Ｌ線断面図（受発光素子２３の正面図）である。光ファイバ接続構造２０ａは、光ファイババンドル構造１または光ファイババンドル構造１ａと受発光素子２３との接続構造である。
【００７８】
受発光素子２３には、受発光部２５が所定の間隔で配置される。図に示した例では、受発光部２５は、正方配置で配置される。光ファイバ心線５の本数は、受発光部２５の数と同一である。また、光ファイバ心線５のコア７のピッチ（隣り合う光ファイバ心線５同士のコアピッチ）は、受発光部２５のピッチとほぼ一致する。
【００７９】
光ファイババンドル構造１（１ａ）と、受発光素子２３とを接合することで、光ファイバ心線５のコア７と、受発光素子２３の受発光部２５とが光接続される。
【００８０】
光ファイバ接続構造２０ａによれば、光ファイバ心線５のコア７と、受発光素子２３の受発光部２５とを光接続することができる。この際、光ファイババンドル構造１（１ａ）は、光ファイバ心線５が所定の間隔で配置されているため、互いのコア７の間隔を精度よく一定に保つことができる。
【００８１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００８２】
１、１ａ………光ファイババンドル構造
３………キャピラリ
５………光ファイバ心線
７………コア
９………クラッド
１１………接着剤
１２………固定部
１３………フェルール
１５………マルチコアファイバ
１７………キャピラリ
１９………コア
２０、２０ａ………光ファイバ接続構造
２１………クラッド
２３………受発光素子
２５………受発光部
【図１】
0006696804.tif 000002
【図２】
0006696804.tif 000003
【図３】
0006696804.tif 000004
【図４】
0006696804.tif 000005
【図５】
0006696804.tif 000006
【図６】
0006696804.tif 000007
【図７】
0006696804.tif 000008
【図８】
0006696804.tif 000009
【図９】
0006696804.tif 000010
【図１０】
0006696804.tif 000011